(57)【要約】【課題】錠剤を欠損することなく安定して容易に取り出すことができる錠剤取り出し器を提供する。【解決手段】本考案による錠剤取り出し器１０は、開口１６を有する台部１１と、台部１１を覆うように閉じると開口１６を塞ぐ凸部１５を有する蓋部１２と、蓋部１２が閉じた際に開口１６と重なる位置に設けられた貫通孔１４を有し、台部１１と蓋部１２との間に配置された補助部材１３とを備える。貫通孔１４に錠剤を包装した包装容器が設定されると、蓋部１２が閉じた際に、凸部１５が包装容器を開口１６に向けて押し出すことによって、錠剤が開口１６を介して包装容器より取り出される。【選択図】図１
0003188132.tif 000002
【実用新案登録請求の範囲】
【請求項１】
開口を有する台部と、
前記台部を覆うように閉じると前記開口を塞ぐ凸部を有する蓋部と、
前記蓋部が閉じた際に前記開口と重なる位置に設けられた貫通孔を有し、前記台部と前記蓋部との間に配置された補助部材とを備え、
前記貫通孔に錠剤を包装した包装容器が設定されると、前記蓋部が閉じた際に、前記凸部が前記包装容器を前記開口に向けて押し出すことによって、前記錠剤が前記開口を介して前記包装容器より取り出されることを特徴とする錠剤取り出し器。
【請求項２】
請求項１に記載の錠剤取り出し器において、
前記貫通孔の幅は、前記開口の幅以下であるとともに、前記凸部の幅以上であることを特徴とする錠剤取り出し器。
【請求項３】
請求項１または２に記載の錠剤取り出し器において、
前記台部に対して前記蓋部および前記補助部材の反対側に設けられ、前記包装容器より取り出された前記錠剤を格納する格納部をさらに備えることを特徴とする錠剤取り出し器。
【考案の詳細な説明】
【技術分野】
【０００１】  本考案は、錠剤取り出し器に関する。
【背景技術】
【０００２】  錠剤の包装容器は、収納されている錠剤を目視可能な透明な錠剤収容部と、錠剤を目視不可能な不透明な底部とからなる。このような包装容器に対して、指で収容部を底部方向に力を加えて、収納されている錠剤が底部を破ることによって、錠剤を取り出す。しかし、指の不自由なユーザにとっては、錠剤を取り出しにくい場合があった。そこで、錠剤を用意に取り出せるように、特許文献１に錠剤押し出し具が開示されている。
【先行技術文献】
【特許文献】
【０００３】
【特許文献１】  特開２０１２−５５６６６号公報
【考案の概要】
【考案が解決しようとする課題】
【０００４】  特許文献１に記載の錠剤押し出し具によると、錠剤を落し穴の上に正確に設定できたか否かを確認することができないため、押し出しの際に落し穴の縁の突起で錠剤が欠けてしまう場合があるという問題がある。
【課題を解決するための手段】
【０００５】  本考案による錠剤取り出し器は、開口を有する台部と、台部を覆うように閉じると開口を塞ぐ凸部を有する蓋部と、蓋部が閉じた際に開口と重なる位置に設けられた貫通孔を有し、台部と蓋部との間に配置された補助部材とを備える。貫通孔に錠剤を包装した包装容器が設定されると、蓋部が閉じた際に、凸部が包装容器を開口に向けて押し出すことによって、錠剤が開口を介して包装容器より取り出されることを特徴とする。
【考案の効果】
【０００６】  本考案によれば、錠剤を欠損することなく安定して容易に取り出すことができるという効果がある。
【図面の簡単な説明】
【０００７】
【図１】  本考案の一実施の形態における錠剤取り出し器を示す図である。
【図２】  本考案の一実施の形態における錠剤取り出し器によって錠剤を取り出す際の作用を説明するための図である。
【考案を実施するための形態】
【０００８】  図１は、本考案の一実施の形態における錠剤取り出し器を示す図である。図１（ａ）は、本実施の形態における錠剤取り出し器１０の斜視図である。錠剤取り出し器１０は、開口１６を有する台部１１と、台部１１を覆うように閉じると開口１６を塞ぐ凸部１５を有する蓋部１２と、蓋部１２が閉じた際に開口１６と重なる位置に設けられた貫通孔１４を有し、台部１１と蓋部１２との間に配置された補助部材１３とを有する。
【０００９】  台部１１の端部と蓋部１２の端部とが、係合部材２０によって係合される。蓋部１２は、係合部材２０を軸に台部１１を覆うように閉じたり、台部１１から離れるように開いたりすることができる。開口１６は、台部１１の係合部材２０が取り付けられた端部から離れて、反対側の端部に近い位置に設けられる。凸部１５は、蓋部１２の係合部材２０が取り付けられた端部から離れて、反対側の端部に近い位置に設けられる。上述したように、蓋部１２が台部１１を覆うように閉じると、凸部１５が開口１６を塞ぐ位置に、凸部１５および開口１６は設けられている。蓋部１２を閉じた際に凸部１５が開口１６を塞ぐことができるように、凸部１５の幅は、開口１６の幅以下であることが好ましいが、錠剤の幅以上であることが好ましい。
【００１０】  補助部材１３は、ユーザが錠剤を包装容器から取り出す作業を補助する部材であり、取り付け部材１９によって蓋部１２に取り付けられている。図１（ｂ）は、補助部材１３の平面図である。取り付け部材１９は、補助部材１３の端部２１を挟み、かつ蓋部１２に接着され、弾性を有する。緩衝部材１８は、その端部が蓋部１２に接着され、補助部材１３と蓋部１２との間に配置される。上述した貫通孔１４は、取り付け部材１９が挟む補助部材１３の端部２１から離れて、反対側の端部２２に近い位置に設けられる。上述したように、貫通孔１４は、蓋部１２が閉じた際に開口１６と重なる位置に設けられる。蓋部１２および補助部材１３が台部１１を覆うように閉じると、凸部１５が貫通孔１４および開口１６を塞ぐ。蓋部１２が開いているときは、弾性を有する緩衝部材１８が、補助部材１３の蓋部１２に面した面を押すため、補助部材１３は、緩衝部材１８によって、蓋部１２との間に一定程度の隙間を設けることができる。この隙間を設けることによって、錠剤を包装した包装容器を貫通孔１４に設定する作業を行いやすくすることができる。
【００１１】  ユーザによって、補助部材１３の貫通孔１４に錠剤を包装した包装容器が設定されると、蓋部１２が閉じた際に、凸部１５が包装容器を開口１６に向けて押し出すことによって、錠剤が、包装容器の底部を破って貫通孔１４を通過し、開口１６を介して包装容器より取り出される。貫通孔１４を通過した錠剤が開口１６に衝突しないよう、貫通孔１４の幅は、開口１６の幅以下であることが好ましい。凸部１５によって錠剤が貫通孔１４を通過して開口１６へ押し出されるように、貫通孔１４の幅は、前記凸部の幅以上であることが好ましい。
【００１２】  台部１１に対して蓋部１２および補助部材１３の反対側に格納部１７を設け、開口１６を介して包装容器より取り出された錠剤が格納部１７に格納されることとしてもよい。ユーザは、例えば格納部１７を台部１１に対してスライドさせることによって、格納部１７に格納された錠剤を取得することができる。
【００１３】  図２は、本実施の形態における錠剤取り出し器１０によって錠剤を取り出す際の作用を説明するための図である。図２（ａ）は、ユーザによって、補助部材１３の貫通孔１４に錠剤２４を包装した包装容器２３が設定される様子を示した模式図である。錠剤２４を包装した包装容器２３は、収納されている錠剤２４を目視可能な透明な錠剤収容部２３ａと、錠剤２４を目視不可能な不透明な底部２３ｂとからなる。ユーザは、図２（ａ）に向かって補助部材１３の下側（台部１１および開口１６に面する側）から貫通孔１４に包装容器２３の錠剤収容部２３ａをくぐらせ、包装容器２３の底部２３ｂが補助部材１３の下面に接するように設定する。貫通孔１４の幅は、包装容器２３の錠剤収容部２３ａの幅以上であって、かつ包装容器２３の底部２３ｂの幅以下であることが好ましい。こうして設定された包装容器２３の錠剤収容部２３ａの頂面は、蓋部１２の凸部１５と対向する。
【００１４】  図２（ｂ）は、ユーザによって、蓋部１２が閉じられることによって、錠剤２４が取り出される様子を示した模式図である。蓋部１２が閉じられることによって、蓋部１２の凸部１５が包装容器２３の錠剤収容部２３ａの頂面を台部１１の開口１６に向けて押し出し、錠剤２４が、包装容器２３の底部２３ｂを破って補助部材１３の貫通孔１４を通過し、開口１６を介して包装容器２３より取り出される。包装容器２３より取り出された錠剤２４は、格納部１７の内部に落ちて、そこに格納される。
【００１５】  本実施の形態における錠剤取り出し器１０は、開口１６を有する台部１１、凸部１５を有する貫通孔１４を有する蓋部１２および補助部材１３を有する。蓋部１２および補助部材１３が台部１１を覆うように閉じると、凸部１５が貫通孔１４および開口１６を塞ぐ位置に、凸部１５、貫通孔１４および開口１６は設けられている。ユーザが補助部材１３の貫通孔１４に錠剤２４を包装した包装容器２３を設定することによって、錠剤２４を開口１６の直上に位置させるための位置決めを正確かつ容易に行うことができるという効果を奏する。したがって、蓋部１２および補助部材１３が台部１１を覆うように閉じることによって、蓋部１２の凸部１５が錠剤２４を押し出して、錠剤２４が、包装容器２３の底部２３ｂを破って補助部材１３の貫通孔１４を通過し、開口１６を介して包装容器２３より安定して容易かつ確実に取り出される。錠剤２４が開口１６を介して包装容器２３より取り出される際に開口１６の縁に衝突しないため、錠剤が欠損することが無く、衝突の際に巻き込まれて破断した包装容器２３の底部２３ｂの一部が錠剤に混入して取り出されることも無い。
【００１６】  本実施の形態における錠剤取り出し器１０において、補助部材１３は、取り付け部材１９によって蓋部１２に取り付けられている。しかし、補助部材１３は、台部１１に取り付けられることとしてもよい。その場合、緩衝部材１８は設けられなくてもよい。
【００１７】  以上の説明はあくまで一例であり、上述した実施の形態の構成に何ら限定されるものではない。
【符号の説明】
【００１８】１０  錠剤取り出し器
１１  台部
１２  蓋部
１３  補助部材
１４  貫通孔
１５  凸部
１６  開口
１７  格納部
１８  緩衝部材
１９  取り付け部材
２０  係合部材
２１  端部
２２  端部
２３  包装容器
２４  錠剤
【図１】
0003188132.tif 000003
【図２】
0003188132.tif 000004